(57)【要約】【課題】送風性能の向上とともに振動及び振動音の低減する送風装置を得る。【解決手段】ファンケーシング６のモーター９側と羽根車５側の双方に吸込口８，７を持つ両吸込型の遠心式送風機２を備えた送風装置について、モーター９側の吸込口８近傍に吸込口８への気流を整流する整流板１２を設ける。その整流板１２を送風装置の本体箱体１の吸込口３側に設けたり、整流板１２を送風装置の本体箱体１の吸込口３側の両側にも設けたり、整流板を送風装置の本体箱体１の吸込口３の背面側にも設けたりする。また、整流板を熱良導体で構成する。【選択図】          図１
2004245125.tif 000002
【特許請求の範囲】
【請求項１】
ファンケーシングのモーター側と羽根車側の双方に吸込口を持つ両吸込型の遠心式送風機を備えた送風装置であって、モーター側の前記吸込口近傍に同吸込口への気流を整流する整流板を設けた送風装置。
【請求項２】
請求項１に記載の送風装置であって、整流板をモーターに設けた送風装置。
【請求項３】
請求項１に記載の送風装置であって、整流板を、モーターをファンケーシングに支持する取付脚に設けた送風装置。
【請求項４】
請求項１〜請求項３までのいずれかに記載の送風装置であって、整流板を送風装置の本体の吸込口側に設けた送風装置。
【請求項５】
請求項４に記載の送風装置であって、整流板を送風装置の本体の吸込口側の両側にも設けた送風装置。
【請求項６】
請求項５に記載の送風装置であって、整流板を送風装置の本体の吸込口の背面側にも設けた送風装置。
【請求項７】
請求項１〜請求項６までのいずれかに記載の送風装置であって、整流板を熱良導体で構成した送風装置。
【発明の詳細な説明】
【０００１】
【発明の属する技術分野】
本発明は、ファンケーシングの両側に吸込口を持った遠心式送風機を備えた送風装置に関するものである。
【０００２】
【従来の技術】
ファンケーシングの両側に吸込口を持った遠心式送風機を備えた送風装置として、天井裏の空間等に設置される換気装置や熱交換換気装置がある。遠心式送風機は、羽根車の構造からみても分かるとおり、流体力学的にかなり無理な昇圧を行うため騒音が高く、消音部材の装着等により騒音の低減を図る工夫がなされてきた（例えば、特許文献１）。
【０００３】
【特許文献１】
特開平９−２７３７８８号公報（第１頁―第３頁、図１）
【０００４】
【発明が解決しようとする課題】
上記した従来の換気装置においては、本体箱体内に両吸込型の遠心式送風機を組込み、本体箱体の吸込口側と、ファンケーシングの二つの吸込口に至る第１と第２の風路を形成する本体箱体の内壁面とに消音部材が設けられている。このように、スプリット型に気流を分流させ、遠心式送風機に向かって流すことにより、個々の風路の通路断面積が単一の風路によるものより小さくなり、各風路に臨む消音部材の吸音機能が効果的に働くことになる。しかしながら、両吸込型の遠心式送風機では、ファンケーシングのモーター側の吸込口はモーターが風の流れを阻害する要因となり、羽根車に加わる風の力はアンバランスになり、振動及び振動音が発生する。特に、風量の大きな換気装置では風の力のアンバランスによる振動及び振動音の問題が表面化する。
【０００５】
本発明は、係る従来の問題点を解決するためになされたものであって、その課題とするところは、送風性能の向上を図り、振動及び振動音の低減を達成できる送風装置を得ることである。
【０００６】
【課題を解決するための手段】
前記課題を達成するために本発明は、ファンケーシングのモーター側と羽根車側の双方に吸込口を持つ両吸込型の遠心式送風機を備えた送風装置について、モーター側の吸込口近傍に吸込口への気流を整流する整流板を設ける手段を採用する。
【０００７】
【発明の実施の形態】
実施の形態１．
図１は、本実施の形態の送風装置である換気装置を示す断面構成図、図２は、図１のＡ矢印部分の拡大図、図３と図４は、それぞれ整流板の平面図と側面図である。この換気装置は天井裏の空間等に吊り固定される大型のものであり、六面体の本体箱体１内に両吸込型の遠心式送風機２が組込まれている。本体箱体１には対向側に吸込口３と吹出口４がダクト接続可能に設けられている。遠心式送風機２は、羽根車５が水平面内又は垂直面内で回転するよう本体箱体１の吹出口４側に組込まれている。
【０００８】
遠心式送風機２のファンケーシング６の吹出口は、本体箱体１の吹出口４に接続され、その吸込口７，８は、モーター側と羽根車側とに対向して上下又は前後に二つが設けられている。モーター９は、取付脚１０により一方の吸込口８の中央に一部が突入する状態にファンケーシング６に固定され、そのファンケーシング６内に突入した回転軸１１に羽根車５が装着されている。取付脚１０は、モーター９の外殻を構成するブラケットとフレームの接合フランジにネジ付けされていて、整流板１２が共締めされている。整流板１２は、本体箱体１の吸込口３からの風を受け、ファンケーシング６のモーター９側の吸込口８に案内する本体箱体１の内壁面に向かって吸込口３側へ斜めに突出する傾斜板として構成されている。
【０００９】
即ち、本体箱体１内には吸込口３からファンケーシング６の羽根車５側の吸込口７に至る第１の風路１３と、吸込口３から整流板１２を経てファンケーシング６のモーター９側の吸込口８に至る第２の風路１４が形成されている。第２の風路１４については、そのファンケーシング６の吸込口８がモーター９や取付脚１０により第１の風路１３の吸込口７より開口面積が減少しており、そのままでは本体箱体１の吸込口３からの風量バランスが崩れ、遠心式送風機２に振動及び振動音が発生することになる。そこで、振動発生要因を持つ第２の風路１４への本体箱体１の吸込口３からの気流の配分を整流板１２で整流しつつ多くし、風量バランスをとって振動及び振動音を抑制している。本体箱体１の吸込口３から第２の風路１４へ流れる気流は、整流板１２に沿って強制的にファンケーシング６の吸込口８に案内されるため第２の風路１４の気流は増加し、送風性能の向上とともに振動及び振動音の低減が達成できる。
【００１０】
整流板１２については、図５に示すように取付脚１０に一体に構成することにより、部品点数を減らすことができ、組立て工数も減じることができる。また、本体箱体１の吸込口３に臨むファンケーシング６の吸込口８側に整流板１２を設けることが振動防止には最も効果的であるが、図６及び図７に示すように両側にも整流板１２を設けたり、さらには図８及び図９に示すように全周に整流板１２を設ければ、一層ファンケーシング６の吸込口８への気流を増加させることができ、振動をより少なくすることができる。さらには、整流板１２をアルミニウム等の熱良導体で構成することにより、モーター９の放熱フィンとして機能し、モーター９の発熱を効果的に空冷することもできる。
【００１１】
実施の形態２．
図１０に示す本実施の形態は、実施の形態１で示した両吸込型の遠心式送風機を適用した熱交換換気装置に関するものであり、送風装置部分の基本的構成は実施の形態１のものと同じである。従って、実施の形態１のものと同じ部分については、実施の形態１のものと同じ符号を用い、それらについての説明は省略する。
【００１２】
本実施の形態の熱交換換気装置は、外箱を構成する本体箱体１内に室外の新鮮な空気を室内へ供給するための給気通路と、室内の空気を室外へ排気するための排気通路とが仕切壁等により全経路において独立状態に画成されている。排気通路には排気流を形成する排気用送風機１５が、また、給気通路には給気流を形成する給気用送風機１６が組み込まれている。給気通路と排気通路のそれぞれの一部は内蔵された積層型の熱交換器１７の二系統の作動流体通路でそれぞれ構成され、排気流と給気流との間で連続的な熱交換が可能に構成されている。
【００１３】
熱交換器１７は、伝熱性を持つ（通湿性を併せ持つ場合もある）仕切板をコルゲート状の間隔板を挟んで積層し、一層おきに一次側の作動流体通路と二次側の作動流体通路が交互に構成された六面体のブロック状に形成されている。
【００１４】
排気用送風機１５と給気用送風機１６は、いずれも両吸込型の遠心式送風機により構成され、そのモーター９側の吸込口８には、吸込口８に気流を案内する整流板１２が設けられている。この熱交換換気装置についても、実施の形態１の換気装置と同様に整流板１２により風量バランスが整えられ振動及び振動音を低減できる。
【００１５】
【発明の効果】
本発明によれば、送風性能の向上とともに、振動及び振動音の低減する送風装置が得られる。
【図面の簡単な説明】
【図１】実施の形態１の換気装置を示す断面構成図である。
【図２】図１のＡ矢印部分の拡大図である。
【図３】実施の形態１の換気装置の整流板を示す平面図である。
【図４】実施の形態１の換気装置の整流板を示す側面図である。
【図５】実施の形態１の他の換気装置を示す部分拡大断面図である。
【図６】実施の形態１の換気装置の他の整流板を示す平面図である。
【図７】実施の形態１の換気装置の他の整流板の側面図である。
【図８】実施の形態１の換気装置のさらに他の整流板を示す平面図である。
【図９】実施の形態１の換気装置のさらに他の整流板の側面図である。
【図１０】実施の形態２の熱交換換気装置の構成を示す横断平面図である。
【符号の説明】
１  本体箱体、  ２  遠心式送風機、  ３  吸込口、  ５  羽根車、  ６  ファンケーシング、  ７，８  吸込口、  ９  モーター、  １０  取付脚、  １２整流板。
【図１】
2004245125.tif 000003
【図２】
2004245125.tif 000004
【図３】
2004245125.tif 000005
【図４】
2004245125.tif 000006
【図５】
2004245125.tif 000007
【図６】
2004245125.tif 000008
【図７】
2004245125.tif 000009
【図８】
2004245125.tif 000010
【図９】
2004245125.tif 000011
【図１０】
2004245125.tif 000012